(57)【特許請求の範囲】
【請求項１】
制御盤を筐体に収納した電力設備であって、
前記筐体前面を開閉する外扉と、
前記筐体の内部に設けられ、前記外扉を開放した状態で露呈する一または複数の内扉とを備え、
前記内扉の背面に前記制御盤を構成する第１素子が配置され、該内扉を閉鎖した状態で該第１素子が隠蔽され、
前記制御盤を構成する前記第１素子以外の第２素子が、前記筐体の背面板の前面に、前記内扉を閉鎖した状態で該第１素子と絶縁されるように対向して配置され、
前記第１素子と前記第２素子とは、前記内扉を閉鎖した状態で、前記内扉に形成された凹部の切欠部を介して該第２素子の一部が操作可能であると共に該内扉に形成された小窓を介して該第２素子の一部が視認可能なように、該第１素子と該第２素子との凹凸を考慮して近接配置されることを特徴とする電力設備。
【請求項２】
請求項１記載の電力設備であって、
前記内扉は、支持部材を介して片支持され、
前記第１素子は、前記内扉の前記支持部側から配線されることを特徴とする電力設備。
【発明の詳細な説明】
【技術分野】
【０００１】
本発明は、制御盤を筐体に収納した電力設備に関する。
【背景技術】
【０００２】
従来、この種の電力設備としては、下記特許文献１に示すように、制御盤を共通バスと、共通バスに接続される複数のボードにユニット化し、ユニット化された複数のボードを筐体内に収容した変電設備が知られている。
【０００３】
また、筐体における電力設備の収容方法としては、下記特許文献２に示すように、素子などの電気品を取り付けた取付板の両端を、筐体内に設けられた支持枠に螺子止めして支持させた電気機器が知られている。
【先行技術文献】
【特許文献】
【０００４】
【特許文献１】特開平１０−１３６５１９号公報
【特許文献２】特開２００２―１５２９１８号公報
【発明の概要】
【発明が解決しようとする課題】
【０００５】
しかしながら、かかる従来の電力設備では、制御盤のユニット化およびユニット化された部材の筐体への取り付けについては改善が為されてきたものの、筐体への制御盤の収納に関しては、ユーザの操作性やメンテナンス性を考慮したものとはなっていなかった。
【０００６】
以上の事情に鑑みて、本発明は、ユーザの操作性およびメンテナンス性を向上させつつ、制御盤を筐体に効果的に収納した電力設備を提供することを目的とする。
【課題を解決するための手段】
【０００７】
第１発明の電力設備は、制御盤を筐体に収納した電力設備であって、
前記筐体前面を開閉する外扉と、
前記筐体の内部に設けられ、前記外扉を開放した状態で露呈する一または複数の内扉とを備え、
前記内扉の背面に前記制御盤を構成する第１素子が配置され、該内扉を閉鎖した状態で該第１素子が隠蔽され、
前記制御盤を構成する前記第１素子以外の第２素子が、前記筐体の背面板の前面に、前記内扉を閉鎖した状態で該第１素子と絶縁されるように対向して配置され、
前記第１素子と前記第２素子とは、前記内扉を閉鎖した状態で、前記内扉に形成された凹部の切欠部を介して該第２素子の一部が操作可能であると共に該内扉に形成された小窓を介して該第２素子の一部が視認可能なように、該第１素子と該第２素子との凹凸を考慮して近接配置されることを特徴とする。
【０００８】
第１発明の電力設備によれば、筐体の外扉のほかに、外扉が開放された状態で露呈する内扉が筐体内に設けられている。そのため、筐体の内部を内扉によりさらに分割して区画することができ、制御盤を構成する素子を効率的に筐体の内部に収納することができる。
【０００９】
さらに、内扉の背面に制御盤を構成する素子の一部を配置することで、内扉が閉鎖された状態では内扉により区画された空間領域内の素子が隠蔽される。そのため、点検やメンテナンス時以外には、露呈しないことが望ましい素子群を内扉の背面側に収納することができる。
【００１０】
これにより、ユーザの通常使用時に不必要な素子が露出することを防止して電力設備の操作性および安全性を向上させることができると共に、メンテナンス時には、内扉を開放することで必要な点検やメンテナンスを行うことができ、メンテナンス性も向上させることができる。
【００１１】
このように第１発明の電力設備によれば、ユーザの操作性およびメンテナンス性を向上させつつ、制御盤を筐体に効果的に収納することができる。
【００１３】
また、第１発明の電力設備によれば、内扉により区画された空間において、内扉の背面に配置された第１素子と、これと対向するように筐体の背面板の前面に配置された第２素子とが絶縁されるように配置される。
【００１４】
これにより、第１素子および第２素子の空間的な広がり、すなわち、これらの素子が配置される板面からの凹凸を考慮して、内扉により区画された空間に効率的に収納することができる。
【００１５】
ここで、第１素子および第２素子が絶縁されるように配置されるとは、素子同士が物理的に接触することを回避して配置されることのほか、必要な絶縁距離を空けて配置されることを意味する。
【００１７】
さらに、第１発明の電力設備によれば、内扉に小窓を形成することで、通常内扉により隠蔽されている素子の動作状態を視認可能とすることができる。これにより、通常使用時に不必要な素子が露出することを防止しつつ、ユーザは、その素子のメンテナンスの必要性等を小窓を介して認識することができ、電力設備の操作性およびメンテナンス性を向上させることができる。
【００１８】
第２発明の電力設備は、第１発明において、
前記内扉は、支持部材を介して片支持され、
前記第１素子は、前記内扉の前記支持部側から配線されることを特徴とする。
【００１９】
第２発明の電力設備によれば、内扉の背面に配置される第１素子は、内扉が開閉する関係で配線の取り回しが困難となる場合があるところ、内扉をヒンジ等の支持部材により片支持することで、支持部材側を固定端とすることができる。そして、固定端となる支持部材側から第１素子への配線を行うことで、配線へのストレス等を気にすることなく、メンテナンス時に内扉を開放させることができ、メンテナンス性を向上させることができる。
【図面の簡単な説明】
【００２０】
【図１】本実施形態の電力設備の構成を示す全体構成図。
【図２】図１における内扉の構成を示す説明図。
【発明を実施するための形態】
【００２１】
図１を参照して、本実施形態の電力設備について説明する。本実施形態の電力設備は、例えば、隣接して設置される変圧器１のタップ切替を行う制御盤２を筐体３に収納した電力設備である。
【００２２】
筐体３は、底面板３０ａと、底面板３０ａから垂直に立ち上がった一対の側面板３０ｂ，３０ｂと背面板３０ｃと、天面板３０ｄとを備える金属製の箱型の形状であって、その前面に開閉自在に取り付けられた外扉３１と、外扉３１を開放した状態で露呈する内扉３２とを備える。
【００２３】
外扉３１は、筐体３の一方の側面板３０ｂにヒンジ３３を介して片支持されると共に、他方の側面板３０ｂにハンドル３４を介して係合するようになっている。
【００２４】
内扉３２は、一端（左端）側が筐体３の内部に垂直方向に設けられた支持部材３５にヒンジ３６を介して片支持されると共に、他端（右端）側が支持部材３５に対向して設けられた支持部材３７に螺子３８により螺子止めされる。
【００２５】
内扉３２には、その板面上に凹部４０と、小窓４１とが設けられている。凹部４０は、その底部が切り欠かれた切欠部４３を備え、切欠部４３を介して筐体３の背面板３０ｃに設けられた素子４４（例えばブレーカ４４、本発明の第２素子に相当する）が内扉３２を介して操作可能に構成されている。小窓４１は、内扉３２の板面の一部を切り欠いて形成されており、小窓４１を介して、背面板３０ｃに設けられた素子４５（例えばマグネットコンタクタ４５、本発明の第２素子に相当する）の状態が視認可能に構成されている。
【００２６】
図２に示すように、内扉３２の背面には、内扉を閉鎖した状態で隠蔽されるように、抵抗器４６（本発明の第１素子に相当する）等が取り付けられている。そして、図２に拡大して示すように、内扉３２の背面に設けられた素子の配線は、内扉３２が片支持される支持部材３５側から配線されている。このように、内扉３２の開閉の際に固定端となる支持部材３５側から配線を行うことで、内扉３２を開閉させても配線にストレス等が生じることもない。
【００２７】
以上のように構成された電力設備によれば、内扉３２により区画された空間領域に制御盤を構成する素子を配置することで、内扉３２の背面および筐体の背面板３０ｃの前面に効率的に配置することができる。
【００２８】
さらに、内扉３２により区画された空間領域に素子を配置することで、内扉３２が閉鎖された状態では領域内の素子が隠蔽される。そのため、点検やメンテナンス時以外には、露呈しないことが望ましい素子群を内扉３２の背面側に収納することができる。
【００２９】
これにより、本実施形態の電力設備によれば、ユーザの通常使用時に不必要な素子が露出することを防止して電力設備の操作性および安全性を向上させることができると共に、メンテナンス時には、螺子３８を外すことで内扉３２を開放して必要な点検やメンテナンスを行うことができ、メンテナンス性も向上させることができる。
【００３０】
ここで、内扉３２により区画される空間領域に配置される素子は、内扉３２の背面に配置される抵抗器４６と、筐体３の背面板３０ｃの前面に配置されるブレーカ４４およびマグネットコンタクタ４５とが絶縁されるように配置される。
【００３１】
すなわち、内扉３２の背面に配置される抵抗器４６と、筐体３の背面板３０ｃの前面に配置されるブレーカ４４およびマグネットコンタクタ４５とが、物理的に接触することを回避して配置されるほか、必要に応じて適当な絶縁距離を空けて配置される。これにより、内扉３２により区画される空間領域において、対向する素子をその凹凸を考慮して、効率的に収納することができる。
【００３２】
さらに、内扉３２に凹部４０を形成してその底部に切欠部４３を設けることで、内扉３２を開放することなく、内扉３２により区画される領域内に設けられたブレーカ４４は操作可能となっている。
【００３３】
また、内扉３２に小窓４１を形成することで、通常内扉３２により隠蔽されているマグネットコンタクタ４５の動作状態を視認可能として、通常使用時に不必要な素子が露出することを防止しつつ、ユーザは、その素子のメンテナンスの必要性等を小窓を介して認識することができ、電力設備の操作性およびメンテナンス性を向上させることができる。なお、マグネットコンタクタ４５の代りに、抵抗器４６等を視認可能に構成してもよい。
【００３４】
以上、詳しく説明したように、本実施形態の電力設備によれば、ユーザの操作性およびメンテナンス性を向上させつつ、制御盤を筐体に効果的に収納することができる。
【００３５】
なお、本実施形態では、内扉３２が１枚の場合について説明したが、筐体３の内部に複数枚設けてもよい。例えば、筐体３の下部に固定されている制御パネルを内扉として構成し、操作性およびメンテナンス性を向上させるようにしてもよい。
【００３６】
また、本実施形態において、内扉３２は、垂直方向に片支持される場合について説明したが、水平方向に片支持されてもよい。例えば、筐体３の底面板３０ａまたは天面板３０ｄに片支持されてもよい。
【００３７】
さらに、内扉３２は、片支持以外の方法により支持されてもよい。例えば、筐体３の側面板３０ｂ，３０ｂに背面から前面に向って設けられた一対の支持レールに内扉３２が支持され、内扉３２が前後方向に摺動可能に構成されてもよい。
【符号の説明】
【００３８】
１…変圧器、２…制御盤、３…筐体、３０ａ…底面板、３０ｂ…側面板、３０ｃ…背面板、３０ｄ…天面板、３１…外扉、３２…内扉、３５…支持部材、３６…ヒンジ、４０…凹部、４１…小窓、４３…切欠部、４４…ブレーカ（第２素子）、４５…マグネットコンタクタ（第２素子）、４６…抵抗器（第１素子）。
【図１】
0005188608.tif 000002
【図２】
0005188608.tif 000003